(57)【要約】      （修正有）【課題】安価に製作することができ、洗濯物その他布類などの取付け取り外しが簡単で、部品交換が容易なクリップを提供する。【解決手段】ばね性を有する板状体を湾曲成型した保持片１４と、保持片１４を支持する棒状のフレーム１６またはワイヤーとを備えている。保持片１４の相対向する両側面１８に、フレーム１６またはワイヤーを挿通させる透孔２０が設けられている。保持片１４は、複数個が使用され、それぞれ相隣接する側面１８が互いに当接するように配列され、かつ透孔２０に挿通されたフレーム１６またはワイヤーにより支持されている。【選択図】図１
0003170073.tif 000002
【実用新案登録請求の範囲】
【請求項１】
ばね性を有する板状体を湾曲成型した保持片と、
前記保持片を支持する棒状のフレームまたはワイヤーとを備え、
前記保持片の相対向する両側面に、前記フレームまたはワイヤーを挿通させる透孔が設けられ、
前記保持片は、複数個が使用され、それぞれ相隣接する側面が互いに当接するように配列され、かつ前記透孔に挿通された前記フレームまたはワイヤーにより支持されていることを特徴とするクリップ。
【請求項２】
請求項１に記載のクリップにおいて、
前記保持片は、前記板状体をＵ字状に湾曲成型したものであることを特徴とするクリップ。
【請求項３】
請求項１に記載のクリップにおいて、
前記保持片は、前記板状体をリング状に湾曲成型したものであることを特徴とするクリップ。
【請求項４】
請求項２に記載のクリップにおいて、
前記保持片の板状体は、平面上に広げた形状が中央を横断する直線に関して線対称の細長形状をなしているものであることを特徴とするクリップ。
【請求項５】
請求項１乃至４のいずれかに記載のクリップにおいて、
前記保持片の外表面に凹凸を設けたことを特徴とするクリップ。
【請求項６】
請求項１乃至５のいずれかに記載のクリップにおいて、
前記透孔は、前記フレームまたはワイヤーの横断面と同様の形状とされ、前記フレームまたはワイヤーを挿通した状態で前記保持片が前記フレームまたはワイヤーを軸として遊動しないように形成されていることを特徴とするクリップ。
【考案の詳細な説明】
【技術分野】
【０００１】
本考案は、洗濯物その他布類などを吊下げ保持するのに好適なクリップに関する。
【背景技術】
【０００２】
従来から、洗濯物などを固定する方法は、多数個の洗濯バサミを使用した洗濯物用ハンガーを用いる方法が一般的である。
多数個の洗濯バサミはハンガー本体に吊下げ用保持具を介して取り付けられている。
【先行技術文献】
【特許文献】
【０００３】
【特許文献１】特開２０００−２１８０９２号公報
【特許文献１】特開２００３−０６２３９２号公報
【考案の概要】
【考案が解決しようとする課題】
【０００４】
既知の従来の技術には、次のような解決すべき課題があった。
上記の固定方法では、洗濯バサミを開いて洗濯物などを挟み込む必要があるので洗濯物などを固定するのに手間が掛かる。また、洗濯バサミが他の洗濯バサミあるいはハンガー本体や吊下げ用保持具に絡んだりするのでその絡みを解すのに手間が掛かる。また、洗濯バサミが破損易く、破損したとき修復するためにハンガー本体に吊下げ用保持具を介して部品交換する作業が面倒である。
本考案は、上記課題を解消するためになされたもので、安価に製作することができ、洗濯物などの取付け取り外しが簡単で、部品交換が容易であるクリップを提供することを目的とする。
【課題を解決するための手段】
【０００５】
以下の構成はそれぞれ上記の課題を解決するための手段である。
〈構成１〉
ばね性を有する板状体を湾曲成型した保持片と、前記保持片を支持する棒状のフレームまたはワイヤーとを備え、前記保持片の相対向する両側面に、前記フレームまたはワイヤーを挿通させる透孔が設けられ、前記保持片は、複数個が使用され、それぞれ相隣接する側面が互いに当接するように配列され、かつ前記透孔に挿通された前記フレームまたはワイヤーにより支持されていることを特徴とするクリップ。
【０００６】
〈構成２〉
構成１に記載のクリップにおいて、前記保持片は、前記板状体をＵ字状に湾曲成型したものであることを特徴とするクリップ。
【０００７】
〈構成３〉
構成１に記載のクリップにおいて、前記保持片は、前記板状体をリング状に湾曲成型したものであることを特徴とするクリップ。
【０００８】
〈構成４〉
構成２に記載のクリップにおいて、前記保持片の板状体は、平面上に広げた形状が中央を横断する直線に関して線対称の細長形状をなしているものであることを特徴とするクリップ。
【０００９】
〈構成５〉
構成１乃至４のいずれかに記載のクリップにおいて、前記保持片の外表面に凹凸を設けたことを特徴とするクリップ。
【００１０】
〈構成６〉
構成１乃至５のいずれかに記載のクリップにおいて、前記透孔は、前記フレームまたはワイヤーの横断面と同様の形状とされ、前記フレームまたはワイヤーを挿通した状態で前記保持片が前記フレームまたはワイヤーを軸として遊動しないように形成されていることを特徴とするクリップ。
【考案の効果】
【００１１】
〈構成１の効果〉
保持片と棒状のフレームまたはワイヤーのみで構成されるので、安価に製作することができる。使用時、洗濯物などを相隣接する保持片間に押し込むだけで取付けが可能であり、取り付けられた洗濯物などを引っ張るだけでスムーズに取外せるので、取付け取り外しが簡単である。また、一部の保持片が破損した場合も当該保持片の交換を簡単に行うことができるので、取り扱いが容易である。
〈構成２の効果〉
保持片は、平板を打ち抜いて板状体を形成し、これをＵ字状に湾曲成型するだけで構成できるので、簡単に製造できる。
〈構成３の効果〉
保持片は、連続押出しにより管状体を成型し、この管状体を適宜長さに輪切りするだけで構成できるので、簡単に製造できる。
〈構成４の効果〉
保持片を打ち抜きにより容易に製作できる。細長形状は短冊形状を含んでいる。
〈構成５の効果〉
保持片間に押し込まれた洗濯物などに対する挟持力は保持片側面の面積の大きさに比例するが、洗濯物などが接する保持片の外表面に凹凸を設けることにより、すべり止め効果を奏するので洗濯物などをより強固に挟持でき、あるいはその挟持力がアップした分、保持片を小型化できる。
〈構成６の効果〉
保持片をフレームまたはワイヤーにしっかりと固定できる。
【図面の簡単な説明】
【００１２】
【図１】（ａ）は実施例１のクリップ１０Ａを示す斜視図、（ｂ）は同クリップの製造方法の説明図である。
【図２】（ａ）〜（ｄ）はそれぞれ本考案に係るクリップを構成する保持片の各例を示す展開図である。
【図３】（ａ）は同クリップの使用例を示す斜視図、（ｂ）は同クリップの使用例の一部を示す正面図である。
【図４】（ａ）は実施例２のクリップ１０Ｂの一部を示す正面図、（ｂ）は同クリップを構成する保持片を示す斜視図である。
【図５】（ａ）は実施例３のクリップ１０Ｃを示す斜視図、（ｂ）は同クリップを構成する保持片を示す斜視図である。
【図６】（ａ）は実施例４のクリップ１０Ｄの一部を示す正面図、（ｂ）は同クリップを構成する保持片を示す斜視図である。
【図７】（ａ）は実施例５のクリップ１０Ｅの一部を示す正面図、（ｂ）および（ｃ）は同クリップを構成する保持片の製造方法の説明図である。
【考案を実施するための形態】
【００１３】
以下、本考案の実施の形態を実施例毎に詳細に説明する。
【実施例１】
【００１４】
図１の（ａ）は実施例１のクリップ１０Ａを示す斜視図、（ｂ）は同クリップの製造方法の説明図、図２の（ａ）〜（ｄ）はそれぞれ本考案に係るクリップを構成する保持片の各例を示す展開図、図３の（ａ）は同クリップの使用例を示す斜視図、（ｂ）は同クリップの使用例の一部を示す正面図である。
【００１５】
クリップ１０Ａは、複数個の保持片１４と、これらの保持片１４を支持する棒状のフレーム１６とを備えている。保持片１４は、図２に示される板状体１２をＵ字状に湾曲成型したものである。相対向する両側面１８に、フレーム１６を挿通させる透孔２０が設けられている。
【００１６】
保持片１４は、ポリ塩化ビニル等の樹脂あるいは金属等のばね性を有する材料からなる板状体１２により形成されている。板状体１２は、図２の（ａ）〜（ｄ）に示されるように、短冊形状、中央部が側方に膨らんだ形状、両端部が側方に膨らんだ形状等の各種形状のものが採用される。
【００１７】
板状体１２は、平面上に広げた形状が中央を横断する直線に関して線対称の細長形状をなしている。板状体１２は、平板を所望の形状に打ち抜くことにより簡単に形成することができる。
【００１８】
保持片１４は、複数個が使用され、それぞれ相隣接する側面１８が互いに当接して互いにばね力で押し合うように配列され、かつ透孔２０に挿通されたフレーム１６により支持されている。フレーム１６は横断面長方形をなしている。
【００１９】
透孔２０は、フレーム１６の横断面形状と同様の形状とされ、フレーム１６を挿通した状態で保持片１４がフレーム１６を軸として遊動しないように形成されている。透孔２０は、図２の（ａ）〜（ｄ）には板状体１２の長さ方向に延びた長孔に形成されているが、本考案ではこの形状に限定されない。透孔２０は、長孔以外に丸孔、矩形孔のいずれでもよい。
【００２０】
複数個の保持片１４は、図１（ｂ）に示すように、透孔２０を棒状のフレーム１６の端部から挿通されて支持され、これを順次繰り返して所定数が取り付けられる。フレーム１６は所定数の保持片１４を取付けた後に、平面四角形やその他の形状（図示せず）に閉じられる。
【００２１】
図３はクリップ１０Ａを洗濯物用ハンガーとして使用した例を示している。クリップ１０Ａはフレーム１６に４本の吊下げ用ワイヤー２６を介してフック２８を取り付けることにより洗濯物用ハンガーとして使用される。
【００２２】
洗濯物２６は、保持片１４のばね性を利用して相隣接する保持片１４間に差し込むだけでクリップ１０Ａに取り付けることができる。また、乾いた洗濯物２６は下方に引っ張るだけで取外すことができる。一部の保持片１４が破損した場合、破損した保持片１４をフレーム１６から抜き取って新規の保持片１４を差し込むことにより簡単に交換できる。
【００２３】
クリップ１０Ａは、保持片１４と棒状のフレーム１６のみで構成されるので、安価に製作することができる。使用時、洗濯物２６などを相隣接する保持片１４間に押し込むだけで取付けが可能であり、取り付けられた洗濯物２６などを引っ張るだけで迅速、かつスムーズに取外せるので、取付け取り外しが簡単である。洗濯バサミのように、洗濯バサミを開きながら、物を挟み込むといった２つの操作が、物を挿入するという１つの操作ですむ。
【００２４】
保持片１４は、平板を打ち抜いて板状体１２を形成し、これをＵ字状に湾曲成型するだけで構成できるので、簡単に製造できる。また、一部の保持片１４が破損した場合も当該保持片１４の交換を簡単に行うことができるので、取り扱いが容易である。
【実施例２】
【００２５】
図４の（ａ）は実施例２のクリップ１０Ｂの一部を示す正面図、（ｂ）は同クリップを構成する保持片を示す斜視図である。なお、図４には図１〜図３と共通する部分に同一符号を付して重複説明を省略する。
【００２６】
クリップ１０Ｂは、両側面の外表面に凹凸２４を設けた保持片１４を使用したものである。凹凸２４は、図４（ｂ）に示されるような線状に限られず、図示しないが、多数の突起のように点状のものでもよい。
【００２７】
保持片１４間に押し込まれた洗濯物２６などに対する挟持力は、保持片１４の側面１８との接触面積の大きさに比例するが、洗濯物などが接する保持片１４の外表面に凹凸２４を設けることにより、すべり止め効果を奏するので洗濯物などを、より強固に挟持でき、あるいはその挟持力がアップした分、保持片１４を小型化できる。
【実施例３】
【００２８】
図５の（ａ）は実施例３のクリップ１０Ｃを示す斜視図、（ｂ）は同クリップを構成する保持片を示す斜視図である。なお、図５には図１〜図３と共通する部分に同一符号を付して重複説明を省略する。
【００２９】
クリップ１０Ｃは、透孔２０が幅方向に延びた長孔に形成されている保持片１４を使用したものである。多数の保持片１４を支持する棒状のフレーム１６は、透孔２０の形状に合わせた状態で配置すると共に、両端部１６Ａが両側の保持片１４を押えた構成とされている。
【実施例４】
【００３０】
図６の（ａ）は実施例４のクリップ１０Ｄの一部を示す正面図、（ｂ）は同クリップを構成する保持片を示す斜視図である。なお、図６には図１〜図３と共通する部分に同一符号を付して重複説明を省略する。
【００３１】
クリップ１０Ｄは、上記実施例で使用された棒状のフレーム１６の代わりにワイヤー３０を使用すると共に、保持片１４の透孔２０をワイヤー３０を挿通できる丸孔としたものである。
【００３２】
また、保持片１４がワイヤー３０を軸として遊動しないように、透孔２０として２つの丸孔を設け、この丸孔に挿通したワイヤー３０を使用している。ワイヤー３０は、クリップ１０Ｄの端部で折り返されて２つの丸孔に挿通されている。
【実施例５】
【００３３】
図７の（ａ）は実施例５のクリップ１０Ｅの一部を示す正面図、（ｂ）および（ｃ）は同クリップを構成する保持片の製造方法の説明図である。なお、図７には図１〜図３と共通する部分に同一符号を付して重複説明を省略する。
【００３４】
クリップ１０Ｅは、図７（ａ）に示すように、板状体をリング状に湾曲成型した保持片１４を使用したものである。保持片１４には相対向する面にワイヤー３０を挿通できる２つの丸孔がそれぞれ設けられている。
【００３５】
リング状の多数の保持片１４が、それぞれ相隣接する側面が互いに当接して互いにばね力で押し合うように配列され、２つの丸孔からなる透孔２０に挿通されたワイヤー３０で支持されている。これらは、必要に応じて設けられる保持部材３２により保持されている。
【００３６】
保持片１４は、図７（ｂ）および（ｃ）に示すように、連続押出しにより管状体２２を成型し、この管状体２２を適宜長さに輪切りすることにより形成されている。
【符号の説明】
【００３７】
１０Ａ  クリップ
１０Ｂ  クリップ
１０Ｃ  クリップ
１０Ｄ  クリップ
１０Ｅ  クリップ
１２  板状体
１４  保持片
１６  フレーム
１８  側面
２０  透孔
２２  管状体
２４  凹凸
２６  洗濯物
２７  吊下げ用ワイヤー
２８  フック
３０  ワイヤー
３２  保持部材
【図１】
0003170073.tif 000003
【図２】
0003170073.tif 000004
【図３】
0003170073.tif 000005
【図４】
0003170073.tif 000006
【図５】
0003170073.tif 000007
【図６】
0003170073.tif 000008
【図７】
0003170073.tif 000009